(57)【要約】【課題】  その目的は、外壁材とコンクリートスラブとの間隙に配置する薄帯鋼板を安定して配置できると共に、強固に固定するための固定金具を提供することにある。【解決手段】  外壁材とコンクリートスラブとの間隙に配置し、耐火用層間ふさぎとして使用する薄帯鋼板を固定するための固定金具であり、前記コンクリートスラブの上面に掛止する横壁部と、該横壁部から前記コンクリートスラブの側面に沿う縦壁部と、該縦壁部の下端に略Ｖ字状の水平支持片を設けて、外壁材とコンクリートスラブとの間隙に固定金具が弾力的に挿入されて、固定金具で薄帯鋼板を支持する。【選択図】図１
2020012355.tif 000002
【特許請求の範囲】
【請求項１】
外壁材とコンクリートスラブとの間隙に配置し、耐火用層間ふさぎとして使用する薄帯鋼板を固定するための固定金具であり、前記コンクリートスラブの上面に掛止する横壁部と、該横壁部から前記コンクリートスラブの縦面に沿う縦壁部と、水平方向略Ｖ字状の水平支持片とを備え、前記水平支持片が、中間に該縦壁部の下部に一体に固定された固定部、前記固定部の左右両端から前記外壁部に向かって折れ曲がって延設される２つの弾力支持部、及び前記弾力支持部の先端に前記外壁部に当接する該当接部を有することを特徴とする耐火用層間ふさぎ固定金具。
【請求項２】
前記縦壁部又は前記水平支持片に前記薄帯鋼板を上側から押えるための押え片を設けたことを特徴とする請求項１に記載の固定金具。
【請求項３】
前記縦壁部の上部に、上下方向に折り曲げ可能な折り曲げ片を備えることを特徴とする請求項１に記載の固定金具。
【請求項４】
第１ないし第３の発明のいずれか１つにおいて、前記水平支持片は、一枚の縦板材からなり、この縦板材の板厚部分が上下面部となって板厚方向に水平に折り曲げて、水平方向の断面が略Ｖ字状に形成されており、前記当接部が、水平方向に弾力的に前記外壁部に当接し、前記薄帯鋼板が、前記水平支持片の上面に載置されて支持され、前記間隙幅の変位に追従して、２つの該当接部がお互いに接近或いは離反する方向に前記外壁部の表面を水平方向に弾力的にスライドするように設けられていることを特徴とする請求項１ないし３のいずれか１つに記載の固定金具。
【発明の詳細な説明】
【技術分野】
【０００１】  この発明は、カーテンウォール工法による構築物の耐火仕様として、上階への延焼と煙の上昇を防止するため、外壁材とコンクリートスラブとの間隙に薄帯鋼板、その上にモルタル、ロックウールなどを詰めて塞いでいるが、その塞ぐ工程、所謂、層間ふさぎに際し、前記薄帯鋼板を固定する固定金具に関する。
【背景技術】
【０００２】  従来から、外壁材を用いる構築物の層間ふさぎとして、モルタルやロックウールを充填していたが、それら充填材を受ける金具として、実開平０４−１１１８５７号（特許文献１）や実開平０６−６７６２８号（特許文献２）、特開２００２−２４２３３４号（特許文献３）のように、丸鋼、あるいは、薄鋼板を折り曲げ加工し、コンクリートスラブの上面に掛止する横壁部と、該横壁部からコンクリートスラブの側面に沿う縦壁部と、該縦壁部から斜め上方に延伸して前記外壁材に弾力的に当接する支持部からなる支持金具が開示されている。【０００３】  また、今般、特にカーテンウォール工法において構築物の耐火性能を向上させる目的で、充填するモルタルやロックウールの下側に薄帯鋼板を敷き詰める仕様が採用され始めたため、特開２０１０−２６１２３２号（特許文献４）のように、層間耐火材支持金具（前記支持金具）の縦壁部に、隙間（間隙）に配置する金属製板材（薄帯鋼板）を支持するパネル側支持辺（支持片）を形成した支持金具（固定金具）が開示されている。特許文献４では、支持片が支持金具のハンガー部の下端から斜め上方に延設され、支持片の先端が壁パネル（外壁材）に弾力的に当接することで、間隙幅の変位に対して、支持片の先端が外壁材に沿って上下動して追従するようになっている。また、薄帯鋼板は縦壁部に設けた支持部と外壁材とに架け渡されて、間隙幅の変位に対して、薄帯鋼板の外壁材側が外壁材に沿って上下動して追従するようになっている。
【先行技術文献】
【特許文献】
【０００４】
【特許文献１】実開平０４−１１１８５７号
【特許文献２】実開平０６−６７６２８号
【特許文献３】特開２００２−２４２３３４号
【特許文献４】特開２０１０−２６１２３２号
【発明の概要】
【発明が解決しようとする課題】
【０００５】  一般的に、地震等により建物に層間変位が生じ、外壁材とコンクリートスラブの間隙の幅に一時的にでも変位が生じた場合に、薄帯鋼板にズレや隙間が生じる場合がある。このような場合に、特許文献４では、間隙幅の変位に対して、支持片の先端及び薄帯鋼板の外壁材側が、外壁材の表面を上下方向に滑って移動するようになっているので、上下移動の追従性が不足することがある。その結果、耐火性能に影響を及ぼす可能性がある。【０００６】  この発明は上記従来の課題に鑑みなされたもので、その目的は、外壁材とコンクリートスラブとの間隙に配置する薄帯鋼板を安定して配置できると共に、強固に固定するための固定金具を提供することにある。
【課題を解決するための手段】
【０００７】  その手段として、本発明の第１の発明は、外壁材とコンクリートスラブとの間隙に配置し、耐火用層間ふさぎとして使用する薄帯鋼板を固定するための固定金具であり、前記コンクリートスラブの上面に掛止する横壁部と、該横壁部から前記コンクリートスラブの縦面に沿う縦壁部と、水平方向略Ｖ字状の水平支持片と、を備え、前記水平支持片が、中間に該縦壁部の下部に一体に固定された固定部を有し、両先端にそれぞれ前記外壁材に水平方向に弾力的に当接する当接部を有することを特徴とする。【０００８】  第１の発明では、中間に該縦壁部の下部に一体に固定された固定部と、両端に前記外壁材に水平方向に弾力的に当接する当接部とを備える略Ｖ字状の水平支持片を間隙に配設し、１か所の固定部と２か所の当接部とでコンクリートスラブと外壁材とに当接して弾力的に支持する。薄帯鋼板は、外壁材側の端部が水平支持片の当接部の上部に支持され、コンクリートスラブ側の端部が、縦壁部に持たれかかっており、間隙の変位に対応して縦壁部の表面を上下方向にスライド可能になっている、【０００９】  本発明の第２の発明は、第１の発明において、前記縦壁部又は前記水平支持片に前記薄帯鋼板を上側から押えるための押え片を設けたことを特徴とする。【００１０】  第２の発明では、押え片によって薄帯鋼板を押えるので、薄帯鋼板の浮き上がり等を防止して固定できる。【００１１】  第３の発明は、第１の発明において、前記縦壁部の上部に、上下方向に折り曲げ可能な折り曲げ片を備えることを特徴とする。【００１２】  第３の発明では、折り曲げ片を折り曲げることにより、薄帯鋼板を上側から弾力的に押えることができ、浮き上がりを防止できる。【００１４】  第４の発明は、第１ないし第３の発明のいずれか１つにおいて、前記水平支持片は、一枚の縦板材からなり、この縦板材の板厚部分が上下面部となって板厚方向に水平に折り曲げて、水平方向の断面が略Ｖ字状に形成されており、前記当接部が、水平方向に弾力的に前記外壁部に当接し、前記薄帯鋼板が、前記水平支持片の上面に載置されて支持され、前記間隙幅の変位に追従して、２つの該当接部がお互いに接近或いは離反する方向に前記外壁部の表面を水平方向に弾力的にスライドするように設けられていることを特徴とする【００１４】  第４の発明では、水平支持片の２つの該当接部が、前記間隙の変位に追従してお互いに水平方向に接近或いは離反する方向に弾力的にスライドし、縦方向に薄帯鋼板を支える構成であり、確実に支持できる。
【発明の効果】
【００１５】  本発明の耐火用層間ふさぎ用の固定金具によれば、外壁材とコンクリートスラブの間隙に固定金具を圧入することで、前記水平支持片の固定部が縦壁部に固定され、両先端の２つの当接部がそれぞれ前記外壁材に水平方向に弾力的に当接するので、固定金具自体を所定の高さ位置に固定することができる。
特に、地震等により建物に層間変位が生じても、層間変位に追従して確実に支持することができる。また、確実に支持することができることができるので、耐火性能も確実に保持することができるなど、上記従来の課題を解消することができる。
【図面の簡単な説明】
【００１６】
【図１】本発明の実施形態１を示す斜視図である。
【図２】本発明の実施形態１を示す側面図である。
【図３】本発明の実施形態１の使用状態を示す断面図である。
【図４】本発明の実施形態１の使用状態を示す斜視図である。
【図５】本発明の実施形態２に係り、図１相当図である。
【図６】本発明の実施形態３に係り、図１相当図である。
【図７】本発明の実施形態３に係り、図３相当図である。
【図８】本発明の実施形態４に係り、図１相当図である。
【図９】本発明の実施形態４に係り、図３相当図である。
【図１０】本発明の実施形態５に係り、図３相当図である。
【発明を実施するための形態】
【００１７】  以下、本発明の実施形態を図面により詳細に説明する。以下の好ましい実施形態の説明は、本質的に例示に過ぎず、本発明、その適用物或いはその用途を制限することを意図するものではない。
【００１８】  （実施形態１）
本発明の実施形態１について、図１〜図４を基に詳細に説明する。図３に示すように、１はコンクリートスラブＡの上方Ａ１から側面Ａ２に垂下されるように架設され、外壁材ＢとコンクリートスラブＡとの間隙Ｓに挿入される固定金具である。Ｃは、固定金具１の上から間隙Ｓに挿入されて、固定金具１の上に載置され、間隙Ｓの耐火用層間ふさぎとして使用される薄帯鋼板である。Ｄは、薄帯鋼板Ｃの上から間隙Ｓに挿入されて、間隙Ｓの層間ふさぎとして使用されるモルタル、ロックウールなどの耐火材である。
図４に示すように、固定金具１の縦壁部１１及び水平支持片１２を間隙Ｓに挿入して、複数の固定金具１を所定の間隔を空けて配置する。間隙Ｓの上方から薄帯鋼板Ｃを入れて複数の固定金具１に跨って載置する。この時に、薄帯鋼板Ｃの外壁側の端部Ｃ１が当接部１５の上面と外壁部Ｂの表面との接触部分に載置され、コンクリートスラブ側の端部Ｃ２が、端部Ｃ１よりも高い位置で縦壁部１１の任意の表面にもたれ掛かることで、下方に落下しないようになっている。
【００１９】  図１及び図２に示すように、１０は固定金具１の横壁部であり、コンクリートスラブの上面Ａ１に掛止させて、固定金具１自体の下方への沈みを防止するものである。１１は該横壁部１０からコンクリートスラブＡの側面Ａ２に沿って垂下した縦壁部であり、１２は縦壁部１１の下端に、溶接によって取り付けられた水平支持片である。
【００２０】  水平支持片１２は、一枚の縦板材からなり、この縦板材の薄い板厚部分が上下面部となって横長に配置され、この縦板材を板厚方向に水平に折り曲げて、水平方向の断面が略Ｖ字状に形成されている。その結果、水平支持片１２は、縦板材の幅方向中間に、縦壁部１１の下端部にある固定部１３を備え、固定部１３の左右両端から外壁部Ｂに向かって略Ｖ字状に徐々に広がった弾力支持部１４を備え、各弾力支持部１４の先端に外壁材Ｂに水平方向に弾力的に当接する当接部１５、１５を備える。前記水平支持片１２は、間隙幅の変位に追従して、２つの当接部１５がお互いに接近或いは離反する方向に外壁部Ｂの表面を水平方向に弾力的にスライドするように設けられている。
【００２１】  固定部１３は、縦板部１１の幅よりも僅かに狭い幅の平板からなり、縦壁部１１の下端に溶接などで一体に固定されている。弾力支持部１４は、固定部１３の左右両端から外壁部Ｂに向かって滑らかに折れ曲がって延設されている。特に、固定部１３から弾力支持部１４に滑らかに折れ曲がる部分１４ａでは、更に弾力支持部１４の上面が固定部１３の上面よりも僅かに低い高さになって滑らかに折れ曲がっている。
【００２２】  薄帯鋼板Ｃは、外壁材側の端部Ｃ１が水平支持片１２の当接部１５の上部に支持され、コンクリートスラブ側の端部Ｃ２が、縦壁部１１に持たれかかっており、間隙Ｓの変位に対応して縦壁部１１の表面を滑って上下動可能になっている、
【００２３】  以上のように、実施形態１では、水平支持片１２の固定部１３と２か所の当接部１５とで外壁材ＢとコンクリートスラブＡとに当接して弾力的に支持するので、外壁材ＢとコンクリートスラブＡの間隙Ｓに固定金具１を圧入することで、固定金具１自体を所定の高さ位置に安定して固定することができる。特に、水平支持片１２の固定部１３と２か所の当接部１５とで、３点で支持するので安定して支持できる。
【００２４】  また、縦板材からなる水平支持片１２の２つの当接部１５、１５が、間隙Ｓの変位に追従してお互いに接近或いは離反する方向に弾力的に移動するので、外壁材ＢとコンクリートスラブＡとの間隙Ｓが広くなった場合には、２か所の当接部１５ａ、１５ａが水平方向に拡大するだけで良く、縦壁部１１を高さ方向に長くする必要がないので、間隙Ｓの深さに影響を与えることなく、固定金具１を固定できる。
【００２５】  （実施形態２）
図５に基づいて、実施形態２を説明する。実施形態２では、実施形態１と異なる部分のみの説明し、共通部分の説明を省略する。実施形態２が実施形態１と異なるのは、当接部１５１の構成である。当接部１５１の先端に、滑らかに外側に折れ曲がった接触部１５１ａを備える。この接触部１５１ａを設けることで、当接部１５１が滑らかに水平方向にスライドし易くなっている。また、間隔Ｓが変位して、２つの当接部１５の位置が接近或いは離反しても、接触部１５１ａが滑らかな曲面で設けられているので、安定して外壁材Ｂの表面に接触でき、確実に固定金具１を接触部１５１ａの間隙Ｓに保持できる。また、間隙Ｓが変位した場合に、接触部１５１ａが滑らかに外壁材Ｂの表面を水平方向にスライドでき、間隙Ｓの変位に素早く追及できる。
【００２６】  （実施形態３）
図６及び図７に基づいて、実施形態３を説明する。実施形態３では、実施形態１と異なる部分のみの説明し、共通部分の説明を省略する。実施形態３が実施形態１と異なるのは、薄帯鋼板Ｃを押える押え片２０を設けたことである。
実施形態３では、縦壁部１１の幅方向中間部分に、上下方向中間位置から上方位置を経て横壁部１０の一部までに切込みを設けて、中央折り曲げ片２１を形成した。この中央折り曲げ片２１を、図７に示すように折り曲げて、薄帯鋼板Ｃの上面を押えて、押え片２０として用いる。押え片２０によって薄帯鋼板Ｃを押えるので、薄帯鋼板Ｃの浮き上がり等を防止して固定できる。
【００２７】  なお、カーテンウォール工法による構築物の耐火仕様として、上階への延焼と煙の上昇を防止するために薄帯鋼板Ｃを配設するものであるから、薄帯鋼板Ｃが少々浮き上がっても、上階への延焼と煙の上昇を防止できれば良いので、中央折り曲げ片２１を折り曲げた場合に、薄帯鋼板Ｃの上面に必ずしも接触してなくても良い。
【００２８】  （実施形態４）
図８及び図９に基づいて、実施形態４を説明する。実施形態４では、実施形態１と異なる部分のみの説明し、共通部分の説明を省略する。実施形態４が実施形態１と異なるのは、薄帯鋼板Ｃを押える押え片２０を設けたことである。
実施形態４では、縦壁部１１の幅方向両側部分に、上下方向中間位置から上方位置までに切込みを設け、この切込みの上端から水平方向外側に切込みを入れて、て、上下方向に折り曲げ可能な端部折り曲げ片２２を形成した。この端部折り曲げ片２２を、図９に示すように折り曲げて、薄帯鋼板Ｃの上面を押えて、押え片２０として用いる。
【００２９】  実施形態４では、端部折り曲げ片２２を折り曲げることにより、薄帯鋼板Ｃを上側から弾力的にさえることができ、実施形態３と同様に薄帯鋼板Ｃの浮き上がりを防止できる。
【００３０】  実施形態４では、実施形態３に比較して、端部折り曲げ片２２が、各固定金具１に２つずつ設けるので、薄帯鋼板Ｃの浮き上がりをより確実に防止できる。
なお、別の実施形態として、薄帯鋼板Ｃを敷設する代わりに、金属網のラスを敷設する場合がある。この場合には、端部折り曲げ片２２を折り曲げることなく、敷設するラスの端部を端部折り曲げ片２２に係合して、使用することも可能である。
【００３１】  （実施形態５）
図１０に基づいて、実施形態５を説明する。実施形態５では、実施形態１と異なる部分のみの説明し、共通部分の説明を省略する。実施形態５が実施形態１と異なるのは、当接部１５２の構成である。当接部１５２の先端に、実施形態２と同様に、滑らかに外側に折れ曲がった接触部１５２ａを備える。この接触部１５２ａを設けることで、当接部１５２が滑らかに水平方向にスライドし易くなっている。
【００３２】  実施形態５では、実施形態２と異なるのは、当接部１５２が上下方向に斜めに設けられている点である。このように斜めにすることによって、当接部１５２の上端部分が外壁部Ｂの表面に接触するだけとなり、当接部１５２の接触面積を少なくして水平方向へ滑り易くしている。
また、実施形態５では、実施形態４と同様に、端部折り曲げ片２２を設けて、薄帯鋼板Ｃの浮き上がりを防止している。
【００３３】  （その他の実施形態）
上記実施形態では、水平支持片１２は、縦壁部１１と別の部材からなる１枚の縦板材からなるもので溶接などの締結手段で一体になるように設けた。しかし、別部材とすることなく、縦壁部１１と水平支持片１２とを一枚の板材から折り曲げて形成するようにしても良い。例えば、縦板部の両側から一体で横方向外側に延びた部分を設け、この延びた部分を折り曲げて水平支持片として形成することも可能である。また、水平支持片１２を一枚の板材としたが、一枚の板材とせずに、左右の水平支持片１２を別々の板材とし、固定部１３を重ねて縦壁部Ａ２に一体に固定する、或いは半分の幅の固定部とし、これらを突き合わせて一つの固定部として、縦壁部の一体の固定することも可能である。
【００３４】  水平支持片１２として縦板材を使用したが、縦板材に限られるものではなく、ばね鋼材であれば、他の構成でも良い。
【００３５】  縦壁部１１が、コンクリートスラブＡの側面に沿って下向きに設けられているが、必ずしも、沿ってなくても良い。例えば、縦壁部１１の下部が、ばね力が作用するように少し外壁部Ｂの方向に滑らかに折れ曲がっていて、この部分に水平支持片１２の固定部１３が固定されるようになっていても良い。
【００３６】  端部折れ曲がり片２２は、挿入されるロックウールなどの耐火材の下面に当接する位置に折れ曲がっており、耐火材を挿入する目安としても良い。（図１０の２点鎖線で示す位置）
また、折り曲げることなく、ラス金網を薄帯鋼板の代わりに敷設する場合に、金網を折り曲げ片に係止して、使用するようにしても良い。
【００３７】  なお、押え片２０は、縦壁部１１に設けた中央折り曲げ片２１、端部折り曲げ片２２等の折り曲げ片に限られるものではなく、例えば、実施形態２の当接部１５１の接触部１５１ａに薄帯鋼板Ｃの外壁側の端部を押える押え片を設けても良い。
なお、実施形態３及び４では、中央折り曲げ片２１及び端部折り曲げ片２２を押え片２０としたが、押え片２０は、折り曲げ片でなく、他の構成でも良い。
【符号の説明】
【００３８】  Ａ    コンクリートスラブ
Ａ１  上方
Ａ２  側面
Ｂ    外壁材
Ｓ    間隙
Ｃ    薄帯鋼板
Ｃ１  外壁材側の端部
Ｃ２  コンクリートスラブ側の端部
１    固定金具
１０  横壁部
１１  縦壁部
１２  水平支持片
１３  固定部
１４  弾力支持部
１５  当接部
２０  押え片
２１  中央折り曲げ片
２２  端部折り曲げ片
【図１】
2020012355.tif 000003
【図２】
2020012355.tif 000004
【図３】
2020012355.tif 000005
【図４】
2020012355.tif 000006
【図５】
2020012355.tif 000007
【図６】
2020012355.tif 000008
【図７】
2020012355.tif 000009
【図８】
2020012355.tif 000010
【図９】
2020012355.tif 000011
【図１０】
2020012355.tif 000012